(57)【要約】【課題】防水性能を保持し、良好な外観性が得られるヘッドセットジャックおよび携帯端末を提供することを目的とする。【解決手段】ヘッドセットジャック１５は、ヘッドセットジャックの筐体１１に収容可能な箱状の本体３１と、本体に設けられてヘッドセットの接続ピン４１が挿入可能な挿入孔３２と、挿入孔に連通する円筒部３３とを備えている。円筒部３３は、端面３３Ｅが筐体に設けられた挿通孔４３から外部に露呈可能に形成されている。挿入孔の内周面３２Ａおよび円筒部の内周面３３Ｂから複数の接触端子４４〜４９が突出されている。また、円筒部の外周面３３Ａに一対の突出部３７、３８が設けられている。さらに、円筒部の端面３３Ｅに対して平行な面６３よりも本体側に一対の突出部が配置されている。【選択図】図４
2014107635.tif 000002
【特許請求の範囲】
【請求項１】
ヘッドセットジャックの筐体に収容可能な箱状の本体と、
前記箱状の本体（箱体）に設けられ、ヘッドセットの接続ピンが挿入可能な挿入孔と、
前記挿入孔に連通するとともに、端面が前記筐体に設けられた挿通孔から外部に露呈可能な円筒部と、
前記挿入孔の内周面および前記円筒部の内周面から突出して前記接続ピンの外周面に接触可能な接触端子と、
前記円筒部の外周面に設けられた突出部と、を備え、
前記突出部は、前記円筒部の端面に対して平行な面よりも前記本体側に配置されているヘッドセットジャック。
【請求項２】
請求項１に記載のヘッドセットジャックにおいて、
前記突出部は、前記円筒部の外周面における前記接触端子に対応した位置に設けられているヘッドセットジャック。
【請求項３】
請求項１または請求項２に記載のヘッドセットジャックが前記筐体に収容された携帯端末。
【発明の詳細な説明】
【技術分野】
【０００１】
本発明は、筐体に収容可能な箱状の本体に接続ピンの挿入孔が設けられ、挿入孔に円筒部が連通され、挿入孔の内周面および円筒部の内周面から接触端子が突出されたヘッドセットジャックおよび携帯端末に関する。
【背景技術】
【０００２】
携帯端末は、通常、筐体にヘッドセットジャックが設けられ、ヘッドセットジャックの挿入孔にイヤホンやマイクロフォン等のヘッドセットの接続ピンが差し込まれることにより電気信号等の授受が行われる。
【０００３】
ヘッドセットジャックは、箱状の本体が筐体に収容され、箱体に挿入孔が形成され、筐体に筒部が設けられることにより筒部が挿入孔に連通され、筒部の端面が筐体の挿通孔から外部に露呈されている。
挿入孔の内面から端子が突出されることにより、挿入孔に差し込まれた接続ピンの外周面が突出された端子に接触して電気信号等の授受が行われる（特許文献１）。
【先行技術文献】
【特許文献】
【０００４】
【特許文献１】特開２０１２−１５５８７３号公報（段落0018〜段落0019、図4）
【発明の概要】
【発明が解決しようとする課題】
【０００５】
ところで、図１２、図１３に示すように、携帯端末１００に収容されたヘッドセットジャック１０２は、筒部１０３の内面１０３Ａから端子が突出されている。筒部１０３の内面１０３Ａに突出する端子の形状に対応して筒部１０３が長円筒形状に形成されている。
筒部１０３が長円筒形状に形成されることにより、防水性を有するヘッドセットジャック１０２は穴が開くことなく端子を覆うことができ、筒部１０３の端面外縁１０３Ｂも長円形状になる。
【０００６】
よって、筒部１０３の端面外縁１０３Ｂに合わせて、携帯端末１００の筐体１０１に設ける挿通孔１０５も長円形状に形成する必要がある。このため、筐体１０１の外部に露呈する筒部１０３の端面１０３Ｃが大きくなり外観性に関して改良の余地が残されていた。
【０００７】
本発明は、前述した課題を解決するためになされたものであり、その目的は、良好な外観性が得られる防水性を有するヘッドセットジャックおよび携帯端末を提供することにある。
【課題を解決するための手段】
【０００８】
本発明のヘッドセットジャックは、ヘッドセットジャックの筐体に収容可能な箱状の本体と、前記箱状の本体に設けられ、ヘッドセットの接続ピンが挿入可能な挿入孔と、前記挿入孔に連通するとともに、端面が前記筐体に設けられた挿通孔から外部に露呈可能な円筒部と、前記挿入孔の内周面および前記円筒部の内周面から突出して前記接続ピンの外周面に接触可能な接触端子と、前記円筒部の外周面に設けられた突出部と、を備え、前記突出部は、前記円筒部の端面に対して平行な面よりも前記本体側に配置されている。
【０００９】
円筒部の外周面に突出部が設けられ、この突出部を円筒部の端面に対して平行な面より本体側に配置した。よって、円筒部の突出部を筐体で覆うことができる。
これにより、ヘッドセットジャックにおける筐体の表面に露出する部位を小型化できるので良好な外観性が得られる。
【００１０】
また、円筒部の突出部を筐体で覆うことにより、筐体の表面に露出する部位を円形状に小さく形成できる。これにより、円筒部の露出部位に他の部品が近接する場合でも、他の部品に対する意匠上の処理の自由度を高めることができる。
例えば、円筒部の露出部位に近接するカバーのパーツ割りを、円筒部の露出部位に合わせて円弧形に形成することが可能になり意匠性を高めることができる。
【００１１】
本発明のヘッドセットジャックは、前記突出部は、前記円筒部の外周面における前記接触端子に対応した位置に設けられている。
【００１２】
円筒部の外周面における接触端子に対応した位置に突出部を設けることにより円筒部の端面に突出部を設ける必要がない。これにより、円筒部のうち露呈する端面において外周面を小さく形成できるので良好な外観性が得られる。
【００１３】
本発明の携帯端末は、前記ヘッドセットジャックが前記筐体に収容されている。
【００１４】
前記ヘッドセットジャックを筐体に収容することにより携帯端末の外観性を良好に保ち、防水性を保つことができる。
【発明の効果】
【００１５】
本発明のヘッドセットジャックおよび携帯端末によれば、円筒部の突出部を円筒部の端面に対して本体側に配置して突出部を筐体で覆うことにより、ヘッドセットジャックにおける筐体の表面に露出する部位を小型化できるので良好な外観性が得られる。
【図面の簡単な説明】
【００１６】
【図１】本発明に係る第１実施形態のヘッドセットジャックを備えた携帯端末を示す斜視図
【図２】図１のＩ矢視図
【図３】本発明に係るヘッドセットジャックをシャーシに取り付けた状態を示す背面図
【図４】図２のＩＩーＩＩ線断面図
【図５】本発明に係るヘッドセットジャックを示す斜視図
【図６】図５のヘッドセットジャックを示す平面図
【図７】図５のヘッドセットジャックを示す側面図
【図８】図５のヘッドセットジャックを示す正面図
【図９】図５のヘッドセットジャックをフレキシブル回路基板でセンサのフレキシブル回路基板に接続した状態を示す斜視図
【図１０】図９のヘッドセットジャックを回路基板に取り付けた状態を示す斜視図
【図１１】本発明に係る第２実施形態のヘッドセットジャックを示す斜視図
【図１２】従来のヘッドセットジャックを備えた携帯端末を示す斜視図
【図１３】従来のヘッドセットジャックを示す斜視図
【発明を実施するための形態】
【００１７】
以下、本発明の実施形態に係るヘッドセットジャックおよび携帯端末について図面を参照して説明する。
【００１８】
（第１実施形態）
図１に示すように、携帯端末１０は、略矩形体状に形成された筐体１１と、筐体１１に設けられた表示装置１２と、筐体１１に収容されたシャーシ１３およびヘッドセットジャック１５とを備えている。
【００１９】
筐体１１は、表示装置１２を収容する開口部１８を有するケース１７と、ケース１７のうち表示装置１２の反対側の面を覆うカバー１９とを備えている。
ケース１７は、表示装置１２の表示面１２Ａに対して直交する第１短端面１７Ａ、第２短端面１７Ｂ、第１長端面１７Ｃおよび第２長端面１７Ｄを有する。
【００２０】
第１短端面１７Ａ、第２短端面１７Ｂ、第１長端面１７Ｃおよび第２長端面１７Ｄでケース１７が略矩形状の枠体に形成されている。
第１短端面１７Ａのうち第２長端面１７Ｄ側の部位１７Ｅに映像素子部２１が設けられている。映像素子部２１としてカメラ部やプロジェクターが例示される。
【００２１】
表示装置１２は、ケース１７の開口部１８に収容され、開口部１８を覆う表示面１２Ａを有する。
表示面１２Ａの上部にレシーバ用の音孔２３が形成されている。
表示装置１２とカバー１９との間にシャーシ１３が設けられ、シャーシ１３に回路基板２４（図９参照）が設けられている。
【００２２】
図２、図３に示すように、第１短端面１７Ａのうち第１長端面１７Ｃ側の部位１７Ｆにヘッドセットジャック１５（具体的には、円筒部３３）の端面３３Ｅが露出されている。
ヘッドセットジャック１５は、イヤホンやマイクロフォン等のヘッドセットを接続する端子である。
【００２３】
図４、図５に示すように、ヘッドセットジャック１５は、箱状の本体３１と、箱状の本体３１に設けられた挿入孔３２と、挿入孔３２に連通する円筒部３３と、円筒部３３の外周面３３Ａに嵌合されたＯリング３５とを備えている。
さらに、ヘッドセットジャック１５は、挿入孔３２の内周面３２Ａおよび円筒部３３の内周面３３Ｂから突出する接触端子ユニット３６と、円筒部３３の外周面３３Ａに設けられた一対の突出部３７、３８とを備えている。
【００２４】
箱状の本体３１は、筐体１１に収容された状態で外側壁３１Ｃが第１長端面１７Ｃに沿って配置されている。
この本体３１は、表示装置１２の表示面１２Ａ側に配置される上部３１Ａと、表示面１２Ａ（図１参照）の反対側に配置される下部３１Ｂと、第１長端面１７Ｃ側に配置される外側壁３１Ｃと、第１長端面１７Ｃの反対側に配置される内側壁３１Ｄとを有する。
上部３１Ａ、下部３１Ｂ、外側壁３１Ｃおよび内側壁３１Ｄで箱状の本体３１が断面略矩形状に形成されている。
【００２５】
挿入孔３２は、箱状の本体３１に設けられ、ヘッドセット（イヤホンやマイクロフォン）の接続ピン４１が挿入可能な孔である。挿入孔３２に接続ピン４１が挿入されることにより、挿入された接続ピン４１に接触端子ユニット３６が接触する。
【００２６】
円筒部３３は、箱状の本体３１の前端部３１Ｅからケース１７の第１短端面１７Ａに向けて突出されている。この円筒部３３は、外周面３３Ａの基部に膨出部３３Ｃが設けられ、膨出部３３Ｃの環状溝３３ＤにＯリング３５が嵌合されている。
さらに、円筒部３３は、挿入孔３２に連通するとともに、第１短端面１７Ａの挿通孔４３から端面３３Ｅが外部に露呈可能に形成されている。
挿通孔４３は、第１短端面１７Ａのうち第１長端面１７Ｃ側の部位１７Ｆに開口されている。
【００２７】
接触端子ユニット３６は、挿入孔３２の内周面３２Ａおよび円筒部３３の内周面３３Ｂから突出して接続ピン４１の外周面４１Ａに接触可能な複数の接触端子４４〜４９を有する。
複数の接触端子４４〜４９はそれぞれの端部４４Ａ〜４９Ａが箱状の本体３１の後端部３１Ｆから外部に突出されている。
複数の接触端子４４〜４９はそれぞれの端部４４Ａ〜４９Ａがフレキシブル回路基板５２（図９も参照）の一端５２Ａに接続されている。
【００２８】
挿入孔３２の内周面３２Ａには複数の接触端子４４〜４９のうち４つの端子４６〜４９が収容される一対の第１収容溝５４、５５が形成されている。一対の第１収容溝５４、５５は、箱状の本体３１の外内の外側壁３１Ｃ、内側壁３１Ｄ側にそれぞれ設けられている。
【００２９】
また、円筒部３３の内周面３３Ｂには、複数の接触端子４４〜４９のうち２つ端子４８、４９の先端部４８Ａ、４９Ａが収容される一対の第２収容溝５６、５７が形成されている。一対の第２収容溝５６、５７は、円筒部３３から突出された一対の突出部３７、３８側に設けられている。
【００３０】
ここで、複数の接触端子４４〜４９のうち２つ端子４８、４９の先端部４８Ａ、４９Ａは、円筒部３３の端面３３Ｅに対して箱状の本体３１側に設けられている。よって、一対の第２収容溝５６、５７は、円筒部３３の端面３３Ｅに対して箱状の本体３１側に設けられている。
【００３１】
図６、図７に示すように、一対の突出部３７、３８は、円筒部３３の外周面３３Ａにおける２つ端子４８、４９の先端部４８Ａ、４９Ａ（図４参照）に対応した位置にそれぞれ設けられている。よって、一対の突出部３７、３８を円筒部３３の端面３３Ｅに設ける必要がない。
具体的には、一対の突出部３７、３８は、円筒部３３の外周面３３Ａの円筒部軸線６１に対して直交する直線６２上に設けられることにより、箱状の本体３１の内外の外側壁３１Ｃ、内側壁３１Ｄ側に設けられている。
【００３２】
さらに、一対の突出部３７、３８は、円筒部３３の端面３３Ｅに対して平行な面６３よりも本体３１側に配置されている。よって、図２、図４に示すように、一対の突出部３７、３８がケース１７の第１短端面１７Ａ（具体的には、第１短端面１７Ａのうち第１長端面１７Ｃ側の部位１７Ｆ）で覆われる。
よって、円筒部３３の端面３３Ｅのみが第１短端面１７Ａの部位１７Ｆに露出される。
これにより、ヘッドセットジャック１５における第１短端面１７Ａ（すなわち、筐体１１の表面）に露出する部位（端面３３Ｅ）を小型化できるので防水性を損なうことなく良好な外観性が得られる。
【００３３】
一対の突出部３７、３８を円筒部３３の端面３３Ｅに対して本体３１側に配置することにより、図８に示すように、円筒部３３の端面３３Ｅが円形状に形成されている。
よって、図４に示すように、円筒部３３の一対の突出部３７、３８を第１短端面１７Ａの部位１７Ｆで覆うことにより、図２に示すように、第１短端面１７Ａの部位１７Ｆに露出する部位である端面３３Ｅを円形状に小さく形成できる。
【００３４】
これにより、円筒部３３の露出部位である端面３３Ｅにカバー１９等の他の部品が近接する場合でも、カバー１９等の他の部品に対する意匠上の処理の自由度を高めることができる。
例えば、円筒部３３の露出部位である端面３３Ｅに近接するカバー１９のパーツ割り１９Ａを、円筒部３３の端面３３Ｅに合わせて円弧形に形成することが可能になり意匠性を高めることができる。
【００３５】
このように、ヘッドセットジャック１５における第１短端面１７Ａの部位１７Ｆに露出する端面３３Ｅを小型化でき、さらに、端面３３Ｅに近接するカバー１９のパーツ割り１９Ａを端面３３Ｅに合わせて円弧形にすることが可能になり良好な外観性が得られる。
このヘッドセットジャック１５を筐体１１に収容することにより携帯端末１０（図１も参照）の防水性を損なうことなく外観性を良好に保つことができる。
【００３６】
図９、図１０に示すように、ヘッドセットジャック１５に備えられた複数の接触端子４４〜４９の端部４４Ａ〜４９Ａ（図４参照）がそれぞれフレキシブル回路基板５２の一端５２Ａに接続されている。
フレキシブル回路基板５２は、他端５２Ｂにコネクタ６５が接続され、コネクタ６５がセンサのフレキシブル回路基板６６に接続されている。センサのフレキシブル回路基板６６は、コネクタ（図示せず）を介して回路基板２４に接続されている。
【００３７】
これにより、ヘッドセットジャック１５の複数の接触端子４４〜４９は、ヘッドセットジャック１５のフレキシブル回路基板５２、およびセンサのフレキシブル回路基板６６を介して回路基板２４に接続されている。
センサのフレキシブル回路基板６６は、ヘッドセットジャック１５を組み付ける前に、筐体１１（図１参照）の内部６８に組み込まれている。
【００３８】
ヘッドセットジャック１５のフレキシブル回路基板５２をセンサのフレキシブル回路基板６６に接続することにより、フレキシブル回路基板５２を回路基板２４に直接接続する必要がない。これにより、ヘッドセットジャック１５のフレキシブル回路基板５２を回路基板２４に接続する実装空間を不要にできる。
さらに、ヘッドセットジャック１５のフレキシブル回路基板５２を回路基板２４に直接接続する必要がないので、フレキシブル回路基板５２の長さ寸法を小さく抑えることができる。
【００３９】
次に、第２実施形態を図１１に基づいて説明する。
なお、第２実施形態において第１実施形態のヘッドセットジャック１５と同一類似部材については同じ符号を付して説明を省略する。
【００４０】
（第２実施形態）
図１１に示すように、第２実施形態のヘッドセットジャック７０は、第１実施形態の円筒部３３（外周面３３Ａ）から突出された一対の突出部３７、３８に代えて突出部７２を備えたもので、その他の構成は第１実施形態のヘッドセットジャック１５と同様である。
【００４１】
突出部７２は、円筒部３３の外周面３３Ａの全域から環状に膨出され、円筒部３３の端面３３Ｅに対して箱状の本体３１側に設けられている。さらに、突出部７２は、箱状の本体３１の内外の内側壁３１Ｃ、外側壁３１Ｄ側の部位が内外の内側壁３１Ｃ、外側壁３１Ｄ側にそれぞれ突出されている。
これにより、内外の内側壁３１Ｃ、外側壁３１Ｄ側の部位に２つ端子４８、４９の先端部４８Ａ、４９Ａ（図４参照）を配置できる。
【００４２】
円筒部３３の突出部７２は第１短端面１７Ａの部位１７Ｆ（図２参照）で覆われる。
これにより、第１短端面１７Ａの部位１７Ｆに露出する部位である端面３３Ｅを、第１実施形態のヘッドセットジャック１５と同様に、円形状に小さく形成できるので良好な外観性が得られる。
【００４３】
なお、本発明に係るヘッドセットジャックおよび携帯端末は、前述した実施形態に限定されるものではなく適宜変更、改良等が可能である。
例えば、第１実施形態および第２実施形態で使用した携帯端末、筐体、ヘッドセットジャック、箱状の本体、円筒部、一対の突出部、ヘッドセットの接続ピンおよび複数の接触端子等の形状や構成は例示したものに限定するものではなく適宜変更が可能である。
【産業上の利用可能性】
【００４４】
本発明は、筐体に収容可能な箱状の本体に接続ピンの挿入孔が設けられ、挿入孔に円筒部が連通され、挿入孔および円筒部から接触端子が突出されたヘッドセットジャックおよび携帯端末への適用に好適である。
【符号の説明】
【００４５】
１０  携帯端末
１１  筐体
１５、７０  ヘッドセットジャック
３１  箱状の本体
３２  挿入孔
３２Ａ  挿入孔の内周面
３３、７２  円筒部
３３Ａ  円筒部の外周面
３３Ｂ  円筒部の内周面
３３Ｅ  円筒部の端面
３７、３８  一対の突出部（突出部）
４１  ヘッドセットの接続ピン
４１Ａ  接続ピンの外周面
４４〜４９  複数の接触端子（接触端子）
６３  平行な面
【図１】
2014107635.tif 000003
【図２】
2014107635.tif 000004
【図３】
2014107635.tif 000005
【図４】
2014107635.tif 000006
【図５】
2014107635.tif 000007
【図６】
2014107635.tif 000008
【図７】
2014107635.tif 000009
【図８】
2014107635.tif 000010
【図９】
2014107635.tif 000011
【図１０】
2014107635.tif 000012
【図１１】
2014107635.tif 000013
【図１２】
2014107635.tif 000014
【図１３】
2014107635.tif 000015